(57)【特許請求の範囲】
【請求項１】
二次元画像を表示する画像表示面を備えた表示部と、
前記画像表示面に離間配置され、かつ前記画像表示面から出射される光を所定の結像面に結像して立体的二次元画像を表示する画像伝達パネルと、を備え、
前記画像伝達パネルが前記結像面に対して所定の角度である第一角度傾けて配置されるとともに、前記表示部が前記結像面に対して前記所定の角度に応じた角度である第二角度傾けて配置され、
前記結像面が鉛直方向に対してなす角度が一定に維持され、
前記第二角度は前記第一角度の略二倍であることを特徴とする立体的二次元画像表示装置。
【請求項２】
前記画像伝達パネルは、マイクロレンズアレイからなることを特徴とする請求項１に記載の立体的二次元画像表示装置。
【請求項３】
前記画像伝達パネル及び前記表示部を、前記結像面に対し傾動可能に支持する筐体と、
前記第一角度と前記第二角度とを相互に関連付ける同期手段と、を備えることを特徴とする請求項１または請求項２に記載の立体的二次元画像表示装置。
【請求項４】
前記画像伝達パネルは前記筐体に対して回動不能に取り付けられており、
前記表示部は前記筐体に回動可能に取り付けられており、
前記同期手段は、前記筐体の傾動と前記表示部の回動との間の同期を制御することを特徴とする請求項３に記載の立体的二次元画像表示装置。
【請求項５】
前記筐体の回動中心を前記結像面上に配置することを特徴とする請求項４に記載の立体的二次元画像表示装置。
【請求項６】
前記同期手段は、前記筐体の傾斜角度を検出する検出手段と、前記傾斜角度に応じて前記表示部の回動を駆動制御する制御手段と、を有することを特徴とする請求項４または請求項５に記載の立体的二次元画像表示装置。
【請求項７】
前記結像面を鉛直面に沿った面として設定することを特徴とする請求項１〜６のいずれかに記載の立体的二次元画像表示装置。
【請求項８】
前記第一角度又は前記第二角度に応じて、前記結像面に表示される立体的二次元画像が変化するように前記画像表示面に表示される画像を変化させる表示制御部を備えたことを特徴とする請求項１〜７のいずれかに記載の立体的二次元画像表示装置。
【請求項９】
表示部の画像表示面から二次元画像を表示するステップと、
前記画像表示面に離間配置された画像伝達パネルを介して、前記画像表示面から出射される光を所定の結像面に結像して立体的二次元画像を表示するステップと、
前記画像伝達パネルを前記結像面に対して所定の角度である第一角度傾けて配置するステップと、
前記表示部を前記結像面に対して前記所定の角度に応じた角度である第二角度傾けて配置し、前記結像面が鉛直方向に対してなす角度を一定に維持するステップと、を備え、前記第二角度は前記第一角度の略二倍であることを特徴とする立体的二次元画像表示装置の制御方法。
【発明の詳細な説明】
【技術分野】
【０００１】
本発明は、二次元画像を立体的に表示する立体的二次元画像表示装置及び立体的二次元画像表示方法に関する。
【背景技術】
【０００２】
マイクロレンズアレイを、二次元画像の表示面の前方に所定の間隔を隔てて平行に配置することにより、マイクロレンズアレイの前方の空間上の所定の結像面に、前記二次元画像を立体的に表示する立体的二次元画像表示装置が知られている（例えば、特許文献１、特許文献２、特許文献３、特許文献４参照）。
【先行技術文献】
【特許文献】
【０００３】
【特許文献１】特開２００１−２５５４９３号公報
【特許文献２】特開２００３−９８４７９号公報
【特許文献３】特開２００２−７７３４１号公報
【特許文献４】特開２００３−１５６７１２号公報
【０００４】
ところで、立体的二次元画像表示装置を展示用などのディスプレイとして使用する場合には、観察者が少し見下ろす感じで斜めに設置するのがよい。このように構成することで、観察者の身長差に拘わらず、つまり、背の低い子どもから背の高い大人まで立体像が視認しやすくなり、立体的二次元画像表示装置によって作られた画像がより効果的に表示される。通常、奥行きのある映像は遠近法などを取り入れて作られていることが多いので、斜め上から見た場合の方が、自然な立体感やリアル感が得られやすい。
【０００５】
しかし、従来のようにマイクロレンズアレイと表示部とが互いに平行な関係のまま、単純に立体的二次元画像表示装置の筐体を傾けるだけであると、画像表示面が鉛直面に対して角度を持ってしまうため、例えば、花瓶等の静物のように鉛直に表示されるべき物体が斜めに見えるまたは倒れて見えてしまい、立体像に違和感を生じる可能性がある。
【発明の概要】
【発明が解決しようとする課題】
【０００６】
本発明が解決しようとする課題としては、従来の立体的二次元画像表示装置は、視認性の向上を図ろうとして斜めに設置した場合に、表示される立体像に違和感が出てしまう問題があること等が挙げられる。
【課題を解決するための手段】
【０００７】
上記課題を解決するために本発明に係る立体的二次元画像表示装置は、二次元画像を表示する画像表示面を備えた表示部と、前記画像表示面に離間配置され、かつ前記画像表示面から出射される光を所定の結像面に結像して立体的二次元画像を表示する画像伝達パネルと、を備え、前記画像伝達パネルが前記結像面に対して所定の角度である第一角度傾けて配置されるとともに、前記表示部が前記結像面に対して前記所定の角度に応じた角度である第二角度傾けて配置され、前記結像面が鉛直方向に対してなす角度が一定に維持され、前記第二角度は前記第一角度の略二倍であることを特徴とする。
【０００８】
また、本発明に係る立体的二次元画像表示装置の制御方法は、表示部の画像表示面から二次元画像を表示するステップと、前記画像表示面に離間配置された画像伝達パネルを介して、前記画像表示面から出射される光を所定の結像面に結像して立体的二次元画像を表示するステップと、前記画像伝達パネルを前記結像面に対して所定の角度である第一角度傾けて配置するステップと、前記表示部を前記結像面に対して前記所定の角度に応じた角度である第二角度傾けて配置し、前記結像面が鉛直方向に対してなす角度を一定に維持するステップと、を備え、前記第二角度は前記第一角度の略二倍であることを特徴とする。
【図面の簡単な説明】
【０００９】
【図１】本発明に係る立体的二次元画像表示装置の外観斜視図である。
【図２】本発明に係る第１実施形態の立体的二次元画像表示装置の概略構成を示す側断面図である。
【図３】筐体及び表示部の回転角度の関係を示す図であり、（ａ）は回転前、（ｂ）は、筐体が元の状態（図３（ａ）に示す状態）に対して角度α傾いた状態を示している。
【図４】本発明に係る第２実施形態の立体的二次元画像表示装置の作用説明図である。
【図５】本発明に係る第３実施形態の立体的二次元画像表示装置の概略構成を示す図で、（ａ）、（ｂ）は筐体の傾斜角度を違えた場合の側断面図である。
【発明を実施するための形態】
【００１０】
以下、図面を参照しながら、本発明に係る立体的二次元画像表示装置の実施形態について説明する。
図１は、第１実施形態の立体的二次元画像表示装置Ｍの外観斜視図であり、図２は、第１実施形態の立体的二次元画像表示装置Ｍの概略構成図であり、図３は、筐体及び表示部の回転角度の関係を示す図であり、（ａ）は回転前、（ｂ）は、筐体が元の状態（図３（ａ）に示す状態）に対して角度α傾いた状態を示している。
【００１１】
本実施形態の立体的二次元画像表示装置Ｍは、観察者Ｈが立体表示であると視認するために、二次元画像を空間中の所定の平面（結像面）上に立体的に表示する画像表示装置である。
【００１２】
（立体的二次元画像表示装置の構造）
まず、図１及び２を参照しながら、本実施形態の立体的二次元画像表示装置Ｍの構造について説明する。
立体的二次元画像表示装置Ｍは、筐体２０と、画像に対応する光を出力する表示部１と、表示部１から出力された光を集光して投影するマイクロレンズアレイ３からなる画像伝達パネルと、筐体２０を支持する支持台３０とを備えている。
【００１３】
筐体２０は、一端に開口２０ａを備えたボックス型のケースであり、その内部に表示部１及びマイクロレンズアレイ３を収納している。筐体２０の高さ方向のほぼ中央両脇には、支持軸２１が設けられており、筐体２０はこの支持軸２１を介して支持台３０に対して上下方向（矢印Ａ方向、すなわち支持軸２１間を軸とした回転方向）に傾動可能に支持されている。
【００１４】
表示部１は、筐体２０の内側に設けられた二次元ディスプレイ装置である。この表示部１は、例えば液晶ディスプレイやＥＬパネル、あるいは、ＣＲＴ等の一般的なディスプレイから構成されており、後述するディスプレイ表示駆動部５６の駆動信号に応じて画像を画像表示面１Ａに表示し、これにより画像表示面１Ａから画像に応じた光が出射される。図示例では、薄型化が可能であることから、画像表示面１Ａとして液晶ディスプレイやＥＬパネル等のパネル型のディスプレイが用いられている。
この表示部１は、筐体２０の内奥部の前記支点２１から離間した位置に配置され、自身の面中心を筐体２０の中心軸線Ｌにほぼ一致させた状態で、筐体２０の中心軸線Ｌに直交するほぼ水平な回転軸１１を中心に、上下方向（矢印Ｂ方向）回動可能に取り付けられている。
【００１５】
マイクロレンズアレイ３は、表示部１の画像表示面１Ａの前方に所定の距離をおいて筐体２０内に配置され、画像表示面１Ａから出射した光を自身の前方の所定距離だけ離間した空間中の結像面２上に結像することにより、結像面２に二次元画像を立体的に表示するレンズである。なお、本明細書では、画像表示面１Ａに表示された画像が空間中に結像する結像面を立体画像表示面と称する。
【００１６】
図２に示すように、マイクロレンズアレイ３は、二枚のレンズアレイ半体４，５が厚さ方向に重ね合わされて構成されている。各マイクロレンズアレイ半体４，５は、それぞれ透光性に優れたガラスまたは樹脂板からなる透明基板４ａ，５ａの両面に、同一曲率半径を有する複数のマイクロ凸レンズ４ｂ，５ｂを、マトリクス状に互いに隣接配置したものである。一面に形成された各マイクロ凸レンズ４ｂ，５ｂの光軸は、対向する位置に形成された他面のマイクロレンズ４ｂ，５ｂの光軸と同一または平行となるように調整されており、またマイクロレンズアレイ半体４，５間で隣り合うマイクロ凸レンズ４ｂ，５ｂ同士の光軸も同一または平行となるように重ね合わされている。本実施形態では、このマイクロレンズアレイ３の筐体２０奥側（画像表示面１Ａ側）の作動距離と開口２０ａ側（結像面２側）の作動距離は等しく設定されている。なお、マイクロレンズアレイ３の各レンズの曲率半径は必ずしも同一である必要はなく、また、筐体奥側の作動距離と開口側の作動距離も必ずしも等しい必要はない。
【００１７】
マイクロレンズアレイ３は、具体的には筐体２０の傾動中心である支持軸２１間を結んだ線を含む面上に設けられている。また、マイクロレンズアレイ３と表示部１の画像表示面１Ａは所定距離（マイクロレンズアレイ３の作動距離）だけ離れた位置に設けられている。このマイクロレンズアレイ３は、自身の面中心を筐体２０の中心軸線Ｌにほぼ一致させられており、かつ、筐体２０の中心軸線Ｌに対して垂直な姿勢で筐体２０に回動不能に固定されている。したがって、マイクロレンズアレイ３は、筐体２０の傾動に応じて筐体２０と同じ角度だけ傾動する。
【００１８】
立体的二次元画像表示装置Ｍは、立体画像表示面（結像面）２を接地面に垂直な面内に設けることが好ましい。このように立体画像表示面２を接地面に垂直な面内に設けるためには、立体画像表示面２を含む鉛直面とマイクロレンズアレイ３に平行な面がなす角度と、マイクロレンズアレイ３に平行な面と表示部１の画像表示面１Ａを含む平面がなす角度がそれぞれ等しくθとなるように筐体２０に対して表示部１を取り付ければよい。
【００１９】
すなわち、マイクロレンズアレイ３を鉛直面に対して角度θ傾け、そしてマイクロレンズアレイ３に対して表示部１の画像表示面１Ａを角度θ傾けて配置するようにすればよい。このように取り付けた場合には、図１に示すように断面視で、立体画像表示面２を含む鉛直面と表示部１の画像表示面１Ａを含む平面を２つの斜辺とし、回転軸１１と支持軸２１と立体画像表面２の中心を結ぶ中心軸線Ｌを底辺とする二等辺三角形の関係が成立する。ここで、上記関係において、マイクロレンズアレイ３に平行な面は、断面視二等辺三角形の中線となっている。
【００２０】
本実施形態の立体的二次元画像表示装置Ｍにおいて、立体画像表示面２上に結像される画像は二次元画像であるが、その画像が奥行き感を持つものである場合や筐体内部が暗い色で塗装されていたり、表示部１上の背景画像が黒くコントラストが強調されているような場合には、空間上に浮いて表示されることから、正面の観察者Ｈからは、あたかも立体画像が映し出されているように見える。なお、本明細書では、立体画像表示面２に表示される二次元画像を立体的二次元画像と称する。
【００２１】
以上説明したように、本実施形態では、表示部１とマイクロレンズ３により、画像に対応する光を立体画像表示面２に結像して立体的二次元画像を表示する立体画像表示部Ｄが構成されている。
【００２２】
（制御回路について）
次に、図２を参照しながら、本実施形態の立体的二次元画像表示装置Ｍの制御回路について説明する。
本実施形態の立体的二次元画像表示装置Ｍは、操作部５１と、制御装置５２と、筐体回転駆動部５３と、傾斜角度検出器５４と、ディスプレイ回転駆動部５５と、ディスプレイ表示駆動部５６と、画像生成部５７とを有している。
【００２３】
操作部５１は、立体的二次元画像表示装置Ｍを用いて立体画像表示面２に表示される二次元画像を鑑賞する観察者Ｈまたは観察者を支援するオペレータ（以下、単に操作者）によって操作される操作端末である。操作者は、この操作部５１を介して画像表示の実行を要求する画像表示指示信号や、筐体の傾動を指示する筐体傾動指示信号等を立体的二次元画像表示装置Ｍに入力することが可能である。
【００２４】
制御装置５２は、操作部５１から入力された各種指示に応じて、立体的二次元画像表示装置Ｍを動作させる制御部である。本実施形態では、制御装置５２は、操作部５１から入力される画像表示指示信号に応じて、ディスプレイ表示駆動部５６及び画像生成部５７を駆動するとともに、操作部５１から入力される筐体傾動指示信号に応じて、筐体回転駆動部５３及びディスプレイ回転駆動部５５を駆動して筐体２０を支持台３０に対して傾動させる。
【００２５】
筐体回転駆動部５３は、操作部５１から入力される筐体傾動指示信号に応じて筐体２０を傾動させるための傾動機構である。具体的には、筐体回転駆動部５３は、制御装置５２からの指示に応じて筐体２０に取り付けられた駆動モータ５１ａを駆動させ、支持軸２１を軸として筐体２０を矢印Ａの方向に回転させる。
傾斜角度検知部５４は、筐体２０の傾斜角度を検知し、制御装置５２に出力する角度検出部である。
【００２６】
ディスプレイ回転駆動部５５は、表示部１を回動させるための回動機構であり、制御装置５２からの指示に応じて表示部１を回転させる。本実施形態では、表示部１は、筐体回転駆動部５３の回転に伴い回転するように構成されている。
具体的には、操作部５１から入力される筐体傾動指示信号に応じて筐体２０が傾動したことを傾斜角度検知部５４が検知すると、制御装置５２は、ディスプレイ回転駆動部５５に傾動指示を出力し、ディスプレイ回転駆動部５５は、この傾動指示に応じて表示部１を回転させて、表示面１Ａの向きを変化させる。
【００２７】
ここで、制御装置５２は、図３（ａ）及び図３（ｂ）に対比して示すように、筐体２０が元の状態に対して角度α傾いた場合に、表示部１が元の状態に対してその２倍の角度２α傾くようにディスプレイ回転駆動部５５を制御する。本実施形態では、筐体２０が傾けられた場合であっても、常に立体画像表示面２が同一の鉛直面上に表示されるように設定されている。この関係を成立させるためには、断面視で、立体画像表示面２を含む鉛直面を一つの斜辺とする二等辺三角形の他の斜辺にそって表示部１が配置されるようにすればよく、さらに傾動前及び傾動後の２つの二等辺三角形の幾何学的関係から、筐体２０が支持体３０に対して角度α傾いた場合に、表示部１が支持体３０に対してその２倍の角度２α傾くようにディスプレイ回転駆動部５５を制御すればよい。
【００２８】
ここで、表示部１は、支持体３０に対して筐体２０が角度α傾いた場合、筐体２０とともに支持体３０に対して角度α回転するので、ディスプレイ回転駆動部５５は、筐体２０の変化角度と同じ度合いで、表示部１を筐体２０に対して角度α回転させることにより、全体として支持体３０に対して角度２α回転することとなる。
すなわち、本実施形態では、傾斜角度検知部５４、制御装置５２及びディスプレイ回転駆動部５５によって、筐体２０（マイクロレンズアレイ３）の傾斜角度に応じて表示部１を回転させる同期ユニットが同期手段として構成されている。
【００２９】
ディスプレイ表示駆動部５６は、制御装置５２から送られる画像信号または映像信号に応じて、表示部１の表示画面１Ａ上に画像を表示する画像表示駆動部である。
また、画像生成部５７は、表示部１に表示される画像または映像に対応する画像信号または映像信号を生成するものであり、例えば所定のプログラムに応じて画像を生成するように構成されている。なお、この画像生成部５７は、予め所定の画像や映像が記録されていて、制御装置５２からの指示に応じて、記録された画像や映像を制御装置５２に出力するように構成されていてもよい。
【００３０】
次に、図２を参照しながら、本実施形態の立体的二次元画像表示装置Ｍの動作について説明する。
例えば、操作者が操作部５１に設けられた図示せぬ画像表示スイッチを押すと、操作部５１から制御装置５２に画像表示指示信号が出力される。制御装置５２は、この画像表示指示信号に応じて、画像生成部５７に表示すべき画像または映像の生成を指示する。そして、画像生成部５７は、制御装置５２からの指示に応じて画像信号または映像信号を生成し、ディスプレイ表示駆動部５６に出力する。そして、ディスプレイ表示駆動部５６は、受け取った画像信号または映像信号に応じて表示部１を駆動し、表示部１の画像表示面１Ａ上に画像または映像を表示する。
【００３１】
画像表示面１Ａ上に表示された画像または映像は、光として出力されて、マクロレンズアレイ３の一面に入射し、他面から出力されて立体画像表示面２上に表示される。この立体画像表示面２は、観察者Ｈから見て、ほぼ一定な位置に鉛直面に沿った面として設定されており、立体画像表示面２に表示される二次元画像があたかも空間上に表示された立体画像として観察者に認識される。
【００３２】
また、操作者が操作部５１を介して、例えば筐体２０の角度を傾けるための図示せぬ角度スイッチを押圧すると、操作部５１は筐体傾動指示信号を制御装置５２に出力する。そして、制御部５２は、この筐体傾動指示信号を受け取ると、筐体回転駆動部５３を駆動して、筐体を指定角度（例えば、角度α）傾かせるように指示するとともに、傾斜角度検知部５４から実際に筐体２０が回転した角度データを受け取る。そして、制御装置５２は、ディスプレイ回転駆動部５５にこの傾斜角度検知部５４から出力された角度データを入力し、ディスプレイ回転駆動部５５は、この筐体２０が回転した角度分さらに表示部１を回転させることにより、表示部１が筐体の回転角度の２倍の角度傾かせる。
【００３３】
このような傾動動作によって、例えば、筐体２０がさらに上方を向くように傾かせると、図３（ａ）及び図３（ｂ）に示すように、支持体３０の接地面から立体画像表示面２の下端までの高さがＨ１からＨ２に変化し、画像の位置が鉛直上方に平行移動し、開口２０ａの向きに応じて、すなわち常に筐体２０の中心軸線Ｌ上に立体画像表示面２の中心を表示させることができる。
【００３４】
本実施形態の立体的二次元画像表示装置Ｍは、上記のように構成されていることにより、筐体２０の角度を必要に応じて自由に変えそして開口２０ａの向きを変化させることにより、表示される立体的二次元画像の高さを可変とすることができる。しかも、本実施形態では、筐体２０の角度をα変化させた場合に、表示部１の角度がその２倍の角度２αだけ同じ方向に変わるので、立体画像表示面２を常に鉛直な平面上にて上下に平行移動させることができる。
【００３５】
したがって、観察者が立体的二次元画像表示装置Ｍを見下ろせる高さに設置して、観察者の目線の高さに応じて筐体２０を適当な角度に傾けることにより、子どもから大人まで身長が異なるどの観察者Ｈが見ても立体画像表示面２を見やすくなる。また、通常の奥行きのある映像は遠近法などを取り入れて作られていることが多いので、本実施形態の立体的二次元画像表示装置Ｍのように、鉛直面上に形成された立体画像表示面２上の立体的に表示される二次元画像を斜め上から見下ろすように視認できることで、立体画像表示面２上の画像が現実味をもって自然と立体的に感じられる。
【００３６】
また、花瓶等の鉛直に立っているべき物体の映像の場合、従来のように立体像が表示される立体画像表示面２自体が装置の傾斜に伴って傾斜してしまうと、観察者Ｈは正しく鉛直に立った花瓶と認識できない状況が考えられるが、本実施形態の立体的二次元画像表示装置Ｍでは、マイクロレンズアレイ３を角度α傾けた場合に、表示部１が一緒に角度２α傾くことで、立体像が表示される立体画像表示面２が鉛直に立った面となるので、違和感なく花瓶等の立体像を見ることができる。
【００３７】
また、鉛直に立った立体画像表示面２に表示される立体像を斜めに見下ろす場合、目の焦点を合わせる位置が、平面画像に正対する場合と違って、視線奥行き方向にある範囲にわたってばらつくようになるので、映像の一部に焦点を合わせやすくなる。人間の目は、一部に焦点が合うとそこから他の部分にも容易に焦点を合わせやすくなっているため、全体像を容易に把握できるようになる。つまり、鉛直な立体画像表示面２に表示される立体像を斜めに見下ろすことにより、立体的二次元画像に目のピントを合わせやすくなり視認性が向上する。
【００３８】
以上、説明したように、本実施形態の立体的二次元画像表示装置Ｍによれば、観察者は、身長の大小に関わらず、二次元画像をごく自然な立体画像として容易に視認することができる。
【００３９】
（第２実施形態）
次に、本発明に係る立体的二次元画像表示装置の第２実施形態について説明する。
図４は、第２実施形態の立体的二次元画像表示装置の作用説明図であり、図４（ａ）は、筐体２０を傾斜させる以前に立体画像表示面２に表示される画像であり、図４（ｂ）は、図４（ａ）に示す画像が表示される場合の筐体２０の配置角度を示す図であり、図４（ｃ）は、筐体２０を傾斜させた後に立体画像表示面２に表示される画像であり、図４（ｄ）は、図４（ｃ）に示す画像が表示される場合の筐体２０の配置角度を示す図である。
【００４０】
本実施形態の立体的二次元画像表示装置Ｍ（ハード構成は同じであるから装置と同符号を付す）は、第１実施形態での構成に加えて、筐体２０の傾斜角度に応じて、立体画像表示面２に表示される立体的二次元画像が、例えば図４（ａ）から図４（ｃ）の如く変化するように構成されている。
【００４１】
即ち、図２を用いて説明すると、本実施形態では、画像生成部５７は、傾斜角度検知部５４の検出する筐体２０の傾斜角度αに応じて異なる画像を生成するように構成されている。この画像生成部５７によって生成された画像は、制御装置５２及びディスプレイ表示駆動部５６を介して、表示部１の画像表示面１Ａに表示させる。
【００４２】
この場合、例えば、図４（ａ）及び図４（ｃ）に示すように、立体画像表示面２に表示画像Ｇとして円柱体Ｅを表示する場合であれば、筐体２０の傾きが増すに従い、視点の位置が徐々に上方に移動して、上面Ｅａが大きく見えるような画像を生成する。こうすることで、立体画像表示面２に表示される画像は、筐体２０を図４（ｂ）から図４（ｄ）の位置まで傾けるにしたがい、円筒体Ｅの上面Ｅａが徐々に大きく見えるような画像となり、それにより、観察者Ｈは、実際に上からのぞき込むような感覚で、円筒体Ｅの立体像を見ることができるようになる。
【００４３】
以上説明したように、本実施形態の立体的二次元画像表示装置Ｍでは、筐体２０の傾きに応じて視点の位置が徐々に変化する画像を生成し、立体画像表示面２に表示するように構成されている。したがって、筐体２０の傾きに応じた自然な両像を立体画像表示面２に表示することが可能となり、立体画像表示面２に表示される二次元画像がよりリアルな立体画像として観察者に受け止められるようになる。
【００４４】
（第３実施形態）
次に、本発明に係る立体的二次元画像表示装置の第３実施形態について説明する。
図５は、本発明に係る立体的二次元画像表示装置の第３実施形態の構成及び作用説明図である。
【００４５】
本実施形態の立体的二次元画像表示装置Ｍ２は、基本的には第１実施形態の立体的二次元画像表示装置Ｍと同様であるが、第１実施形態の立体的二次元画像表示装置Ｍと比べてマイクロレンズアレイ３が筐体２０ａの内奥に配置されることにより、立体画像表示面２の高さ方向の中央位置２ａが筐体２０の回動中心（支点）２１上に形成されるように構成されている。
【００４６】
このように構成することで、本実施形態では、立体画像表示面２が、筐体２０の傾き角度に関わらず、筐体２０の回動中心２１を通る鉛直面上に形成され、かつ立体画像表示面２の高さ方向の中央位置２ａが常に筐体２０の回動中心（支点）２１上に形成される。すなわち、本実施形態では、このように立体画像表示面２上の点（回動中心２１）を中心に筐体２０を傾動させるように構成したことにより、筐体２０の傾動角度によらず、立体画像表示面２上の画像が動かないようにすることができる。
【００４７】
したがって、本実施形態によれば、連続して筐体２０の傾動角度を変化させた場合にも、立体画像表示面の位置が上下に移動しないため、違和感なく立体画像を観察することができる。この場合も、第２実施形態に示したように、筐体２０の傾斜角度に応じて表示部１の画像を変化させることにより、定位置に像を固定したまま、像の見え方を変えることができる。
【００４８】
なお、上記実施形態では、筐体２０の傾斜角度を連続して自由に調節できる場合を示したが、傾斜角度を数箇所に段階的に固定できるようにしてもよいし、１箇所に固定しておいてもよい。つまり、支持台３０上に筐体２０を所定角度だけ傾けて固定しておいてもよい。その場合は、結像面（立体画像表示面２）に対して、マイクロレンズアレイ３を鉛直面に対して角度θ傾けて配置する共に、表示部１をその２倍の角度２θ傾けて配置しておけばよい。
【００４９】
なお、上記各実施形態では、筐体２０の傾動角度と表示部１の傾動角度を電気的に制御するように構成したが、これに限られることはなく、筐体２０の傾動角度と表示部１の傾動角度をθと２θの関係に制御する同期手段を、ギヤ等の機械的な伝達機構を用いて構成してもよい。さらには、観察者Ｈが操作部５１を介して角度スイッチを押圧するのではなく、観察者自身の手で筐体を動かして傾けてもよい。
【００５０】
また、上記実施形態では、筐体２０及び表示部１の傾斜方向を上下方向とした場合を示したが、左右方向に傾斜させてもよく、傾斜の方向は特に問わない。
【００５１】
なお、上記実施形態においては、マイクロレンズアレイ３は、レンズアレイ半体４，５を二枚一組で一体化したマイクロ凸レンズ板としたが、これに限るものではなく、一枚や三枚で構成してもよい。但し、マイクロレンズアレイを構成するレンズの一つ一つがそれぞれ結像する画像が反転して表示される場合は、表示部１の画像表示面１Ａの一つの表示画素に対して一つのレンズを割り当てるようにマイクロレンズアレイを構成するか、制御装置５２またはディスプレイ表示駆動部５６は、予め映像信号を反転させて表示部１の画像表示面１Ａに表示させるようにするとよい。
【００５２】
本出願は、２００４年３月３１日出願の日本特許出願（特願２００４−１０７０２７）に基づくものであり、その内容はここに参照として取り込まれる。
【符号の説明】
【００５３】
なお、図中の符号、Ｍ，Ｍ２は立体的二次元画像表示装置、１は表示部、１Ａは画像表示面、２は立体画像表示面（結像面）、３はマイクロレンズアレイ（画像伝達パネル）、２０は筐体、３０は支持台、５４は傾斜角度検知部（傾斜角度を検出する手段）、５５は制御装置（制御手段、制御部）、２１は回動中心である。
【図１】
0004482556.tif 000002
【図２】
0004482556.tif 000003
【図３】
0004482556.tif 000004
【図４】
0004482556.tif 000005
【図５】
0004482556.tif 000006